(57)【特許請求の範囲】
【請求項１】
基台の底面に支持脚を備えた前面扉付き本体ケースの商品収納庫内に商品収納ラック，および冷却器を収設するとともに、本体ケースの底部側に画成した機械室内に冷凍機のコンデンシングユニットを搭載し、かつファンにより機械室内に空気を導風してコンデンシングユニットの凝縮器，圧縮機を風冷するようにした自動販売機において、
前面扉の下部に機械室内に通じる空気吸込穴を開口するとともに、本体ケースの基台底面であってコンデンシングユニットの側方，および背後側の面域に直接ケース外に通じる排気穴を開口したことを特徴とする自動販売機。
【請求項２】
請求項１記載の自動販売機において、基台に開口した排気穴に加えて、機械室の背面壁に排気穴を開口したことを特徴とする自動販売機。
【発明の詳細な説明】
【０００１】
【発明の属する技術分野】
この発明は、缶，壜入り飲料などのコールド商品，およびアイスクリームなどの冷凍商品を販売する自動販売機に関し、詳しくは自動販売機の本体ケースの機械室内に搭載した冷凍機コンデンシングユニットの風冷構造に係わる。
【０００２】
【従来の技術】
まず、頭記した自動販売機の従来における構成を図３に示す。図において、１は断熱筐体として作られた自動販売機の本体ケース、２は前面外扉、２ａは商品取出口、３は断熱内扉、４は本体ケース１の基台１ａの四隅に螺設したレベリング用の支持脚であり、本体ケース１の庫内に画成した商品収納庫５には商品収納ラック６，および庫内保冷用のファン付き冷却器（冷凍機のエバポレータ）７を装備している。また、本体ケース１の底部側には機械室８を画成し、基台１ａの上に冷凍機のコンデンシングユニット９が搭載されている。ここで、コンデンシングユニット９は、圧縮機９ａ，凝縮器９ｂ，ファン９ｃをベース９ｄの上に配置した構造になり、前記冷却器７と組合せて冷凍サイクルを構成している。
【０００３】
また、従来の自動販売機では、機械室８に通じて前面外扉２の下部には空気吸込穴２ｂが、ケース本体１の背面壁には排気穴１ｂが開口している。なお、排気穴１ｂにはワイヤガード，金網などを覆って外部からの異物侵入を防ぐいる。
かかる構成で、自動販売機の稼働時には冷凍機を運転して商品収納ラック６に収納した商品を販売適温に保冷し、販売指令に基づき商品収納ラック６から搬出した商品を商品取出口２ａに送出して販売に供することは周知の通りである。
【０００４】
一方、機械室８に対しては、コンデンシングユニット９のファン９ｃの運転により、矢印Ｐで表すように外扉２に開口した吸込穴２ｂを通じて周囲から取り込んだ冷却空気流を圧縮機９ａ，凝縮器９ｂに導風して熱交換し、その排熱を空気流とともに背面側の排気穴１ｂを通じて機外に放出するようにしている。
【０００５】
【発明が解決しようとする課題】
ところで、前記した従来構成の自動販売機では、冷凍機の保冷性能維持の面で次記のような問題点がある。
すなわち、冷凍機の保冷性能を十分に発揮して運転するにはコンデンシングユニット９の圧縮機９ａの発熱，および凝縮器９ｂでの冷媒凝縮熱を効果的に除熱する必要があり、仮に機械室８に導風する冷却空気の風量が減少すると、圧縮機９ａ，凝縮器９ｂが異常に温度上昇して冷凍機の保冷性能が低下し、商品収納庫内に収納した商品の冷え具合が悪化する。
【０００６】
一方、最近では自動販売機の道路へのはみ出しが厳しく規制されており、自動販売機をロケーション先で道路に面した店頭，あるいは建屋内などに据付ける際に、据付スペースの制約から図１で表すように自動販売機と建屋１０との間の間隔ｄを抑えて本体ケース１の背面を壁面と殆ど重なり合うように据付けることが多い。しかして、このような据付け条件では、自動販売機の本体ケース１の背面に開口した排気穴１ｂが建屋の壁で殆ど塞がれてしまって機械室８に導風する冷却の風量が十分に確保できず、そのために冷凍機の保冷性能が低下する。
【０００７】
この発明は上記の点に鑑みなされたものであり、その目的は前記課題を解決し、ロケーション先の据付け場所の条件に制約されることなく、自動販売機の機械室に搭載した冷凍機のコンデンシングユニットに対して冷却空気の風量を確保して冷凍機の保冷性能が十分に発揮できるようにその導風経路を改良した自動販売機を提供することにある。
【０００８】
【課題を解決するための手段】
上記目的を達成するために、この発明によれば、基台の底面に支持脚を備えた前面扉付き本体ケースの商品収納庫内に商品収納ラック，および冷却器を収設するとともに、本体ケースの底部側に画成した機械室内に冷凍機のコンデンシングユニットを搭載し、かつファンにより機械室内に空気を導風してコンデンシングユニットの凝縮器，圧縮機を風冷するようにした自動販売機において、請求項１の発明では、前面扉の下部に機械室内に通じる空気吸込穴を開口するとともに、本体ケースの基台底面であってコンデンシングユニットの側方，および背後側の面域に直接にケース外に通じる排気穴を開口するものとし、請求項２の発明では、基台に開口した前記の排気穴に加えて、機械室の背面壁にも排気穴を開口して構成するものとする。
【０００９】
前記のように、本体ケースの基台底面にケース外へ通じる排気穴を開口することにより、ロケーション先の据付け場所の制約から自動販売機の本体ケースの背面を建屋壁との間に殆ど隙間を残さずに寄せて据付けた場合でも、本体ケースの基台と据付け基礎面（あるいは建屋内の床面）との間には支持脚を介して底面排気穴に通じる排気導風路が確保されることになる。したがって、冷凍機コンデンシングユニットの排熱を機械室内に導風した冷却空気の排気流とととも基台の底面に開口した排気穴を通じて機外へ効果的に排出することができ、これにより冷凍機の保冷性能が十分に発揮されるようになる。
【００１０】
【発明の実施の形態】
以下、この発明の実施の形態を図１，図２の実施例に基づいて説明する。なお、実施例の図中で図３に対応する同一部材には同じ符号が付してある。
すなわち、図示実施例では、本体ケース１の底部側に画成した機械室８に対して、その前方に配した外扉２の下部に空気吸込穴２ｂが、また背面壁には角穴状の背面排気穴１ｂが開口し、さらに冷凍機のコンデンシングユニット９を搭載した本体ケース１の基台１ａ（基台の下面側四隅にはレベリングスクリュウと呼ばれるねじ式の支持脚５が植設してある）の底面、特にコンデンシングユニットの側方，および背後側の面域には排熱用の風穴として機能する角穴状の底面排気穴１ｃが分散開口している。
【００１１】
上記の構成において、冷凍機の運転時にはコンデンシングユニット９のファン９ｃが回り、矢印Ｐで表すように空気吸込穴２ｂを通じて外気（冷却空気流）が機械室８内に流入して凝縮器９ｂ，圧縮機９ａを冷却した後、その排気風が背面排気穴１ｂ，底面排気穴１ｃを通じて機外に排出される。なお、基台１ａの下面側には支持脚４を介して据付け基礎面との間に導風路が確保されている。
【００１２】
したがって、ロケーション先の据付け場所の制約から図３で述べたように自動販売機の本体ケース１の背面を建屋の壁に殆ど隙間なく寄せて据付けた場合でも、基台１ａの底面に開口した排気穴１ｃを通じて機械室内を通風する冷却空気流の風量が十分に確保される。これにより、冷却空気の風量不足に起因して冷凍機のコンデンシングユニット９が異常に温度上昇することが回避され、冷凍機は保冷能力を十分に発揮して商品収納庫内の販売商品を効果的に保冷することができる。
【００１３】
【発明の効果】
以上述べたように、この発明の構成によれば、冷凍機のコンデンシングユニットを搭載した機械室に対し、前面扉の下部に機械室内に通じる空気吸込穴を開口するとともに、本体ケースの基台底面であってコンデンシングユニットの側方，および背後側の面域に直接にケース外に通じる排気穴を開口したことにより、ロケーション先の据付け場所の制約から自動販売機の背面を建屋の壁などに殆ど隙間なく寄せて据付けた場合でも、機械室内に送風する冷却空気の風量を十分に確保し、コンデンシングユニットの排熱を基台の底面側に開口した排気穴を通じて機外に放出することができ、これにより自動販売機に搭載した商品保冷用の冷凍機を効率よく運転できる。
【図面の簡単な説明】
【図１】この発明の実施例による自動販売機の構成断面図
【図２】図１における機械室の導風経路を表した斜視図
【図３】商品保冷用の冷凍機を搭載した自動販売機の従来例の構成断面図
【符号の説明】
１    本体ケース
１ａ  基台
１ｂ  背面排気穴
１ｃ  底面排気穴
２    前面外扉
２ａ  商品取出口
２ｂ  空気吸込穴
４    支持脚
５    商品収納庫
６    商品収納ラック
７    冷却器
８    機械室
９    冷凍機のコンデンシングユニット
９ａ  圧縮機
９ｂ  凝縮器
９ｃ  ファン
【図１】
0003760623.tif 000002
【図２】
0003760623.tif 000003
【図３】
0003760623.tif 000004